(57)【要約】【課題】  複数枚の原稿に対する連続的なシートスルー読取モード時にあっては、シェーディング補正に支障ない範囲で必要最低限の回数でシェーディングデータ取得動作を済ませ、読取速度の向上を図る。【解決手段】  読取位置に配設された背景体部分に沿わせて原稿を搬送させながらその画像を前記読取光学系を介してライン状のイメージセンサにより光電変換して読取るシートスルー読取モードによる読取時に（Ｓ２１のＹ）、搬送される原稿間のタイミングでイメージセンサにより背景体部分の読取りを行ない（Ｓ２６のＹ）、その読取レベルに所定レベル以上の差が生じた場合に（Ｓ２９のＹ）基準白板を読取らせてシェーディングデータを取得する（Ｓ３０）。【選択図】        図４
2004159356.tif 000002
【特許請求の範囲】
【請求項１】
副走査方向に移動自在なキャリッジに搭載された読取光学系を読取位置に固定し、前記読取位置に配設された背景体部分に沿わせて原稿を搬送させながらその画像を前記読取光学系を介してライン状のイメージセンサにより光電変換して読取るシートスルー読取モードを有し、前記読取位置とは副走査方向にずれた位置に配設された基準白板の前記イメージセンサによる読取りによりシェーディングデータを取得する画像読取装置において、
前記シートスルー読取モードによる読取時に、搬送される原稿間のタイミングで前記イメージセンサにより前記背景体部分の読取りを行ない、その読取レベルに所定レベル以上の差が生じた場合に前記基準白板を読取らせるシェーディングデータ取得動作制御手段を備えることを特徴とする画像読取装置。
【発明の詳細な説明】
【技術分野】
【０００１】
本発明は、デジタル複写機、スキャナ装置等に適用され、ライン状のイメージセンサを用いて画像情報を読取る画像読取装置に関する。
【背景技術】
【０００２】
一般に、この種のライン状のＣＣＤイメージセンサを用いた画像読取装置では、ＣＣＤ出力をサンプルホールドし、その利得調整を行なった後、Ａ／Ｄ変換することにより画像対応のデジタル信号を得るようにしている。
【０００３】
図５に、従来のデジタル複写機における画像読取装置の概略構成を示す。光源から出た光は原稿に照射され、原稿からの反射光がミラー、集光レンズを介してライン状のＣＣＤ（イメージセンサ）１に結像され、光電変換されて電気信号に変換される。ＣＣＤ１の出力は同じ読取基板２上のアナログ処理回路３においてサンプルホールドされ、利得調整等を行なった後、Ａ／Ｄ変換器４によりデジタル信号に変換される。デジタル化された画像データは、画像処理基板５上の画像処理部６に伝送されて、シェーディング補正処理、フィルタ処理等が行われ、最終的に書込み部へ伝送され光書込みに供される。画像処理部６はＣＰＵ７により制御される。また、ＣＰＵ７にはメモリ８が接続されている他、ＣＰＵ７は両基板２，５上の各部の制御を受け持つ。
【０００４】
図６に、読取基板２上に実装されたアナログ処理回路３等の構成例を示す。ここでは、ＣＣＤ１として偶数画素（ＥＶＥＮ）と奇数画素（ＯＤＤ）との２系統に分けて交互に出力する２出力タイプのものを想定している。このため、ＣＣＤ１の出力側には系統毎にラインクランプ回路を構成するサンプルホールドアンプ９，１０が設けられている。これらのサンプルホールドアンプ９，１０により信号成分が取り出される。取り出された信号成分はマルチプレクサ１１により時系列的に１系統の出力に合成され、利得調整用の増幅回路をなす直列に接続された２段のアンプ１２，１３に入力される。これらのサンプルホールドアンプ９，１０で白レベル補正が行われる。
【０００５】
ところで、この種の画像読取装置にあっては、コンタクトガラスに隣接させて原稿搬送機構（ＤＦ＝Document Feeder）を備えることで、ブック読取モードとシートスルー読取モードとを有し、読取光学系及びイメージセンサを共用するようにした機種も、例えば、特許文献１等により広く知られている他、現に多く実用化されている。ここに、「ブック読取モード」は、コンタクトガラス上に固定された原稿に対して読取光学系を搭載したキャリッジを副走査方向に移動させて原稿を露光走査しながらその画像を読取光学系を介してイメージセンサに結像させることで、光電変換して読取るモードである。「シートスルー読取モード」は、キャリッジを所定の読取位置に位置固定させた状態で、原稿搬送機構ＤＦによりその読取位置に配設させた背景ローラ等の背景体に沿わせて原稿を自動的に搬送させながら原稿を露光しその画像を読取光学系を介してイメージセンサに結像させることで、光電変換して読取るモードである。
【０００６】
図７にこのようなブック読取モードとシートスルー読取モードとを有する画像読取装置の概略構成例を示す。１４はブック読取モード用の原稿が固定セットされるコンタクトガラスである。露光ランプ、ミラー等（図示せず）の読取光学系を搭載したキャリッジ１５は、コンタクトガラス１４の下面をキャリッジ駆動機構（図示せず）により副走査方向全域に渡って移動自在に設けられている。また、コンタクトガラス１４に隣接させてシートスルー読取モード用のスリット状の読取窓１６が設けられている。さらに、この読取窓１６に臨ませてシートスルー読取モード時の原稿送りを読取位置で案内する背景体１７が設けられている。１８は原稿搬送機構ＤＦ（図示せず）により搬送される原稿搬送経路を示している。さらに、コンタクトガラス１４と読取窓１６との間の位置には、基準白板１９が設けられている。
【０００７】
このような構成において、ブック読取モード時には、コンタクトガラス１４上に固定された原稿に対してキャリッジ１５を副走査方向に移動させることによりこの原稿の読取りを行なうが、シートスルー読取モード時にはキャリッジ１５を固定し原稿側を搬送させることによりこの原稿の読取りを行なう。つまり、キャリッジ１５は読取窓１６の真下位置に位置固定され、原稿はこの読取窓１６上を搬送通過することになる。このとき、読取光学系自体は、ブック読取モード時であってもシートスルー読取モード時であっても差はないが、シートスルー読取モード時には、原稿が移動することにより、その腰等により浮き等が生じやすい。そこで、原稿の送りを円滑にするため、背景体１７はローラ等によるＲ形状とされており、読取窓１６に最も接近する位置が、シートスルー読取モード時の読取位置であり、図７（ａ）に示すように、通常は、この読取位置がコンタクトガラス１４面と同じ高さになるように設計される。
【０００８】
また、シートスルー読取モード時の原稿画像の取込みタイミングについて考えると、図８に示すように、送られてくる原稿に応じてＣＰＵ７により発生する副走査のゲート信号“ＦＧＡＴＥ”を基に原稿画像を取り込むようにしている。この発生位置は、原稿搬送機構ＤＦによる原稿送りに同期しており、常に一定のタイミング位置でゲート信号“ＦＧＡＴＥ”がアサートされる。
【０００９】
さらに、この種の画像読取装置においては、イメージセンサ１における各素子の感度ばらつきの補正、光量分布の補正等のために、基準白板１９の読取りを行ない、シェーディングデータを取得してシェーディング補正に供することは広く行なわれており、前述した特許文献１や特許文献２等にも記載されている。
【００１０】
【特許文献１】特開平７−２９８００７号公報
【特許文献２】特開平８−２２３４１４号公報
【発明の開示】
【発明が解決しようとする課題】
【００１１】
このような従来の画像読取装置において、シートスルー読取モードにより読取る場合、図７（ｂ）に示すように、背景体１７のＲ形状の頂点Ａの直下が読取位置となるようにキャリッジ１５を停止固定させ、その位置で原稿の読取りを行なわせれば、コンタクトガラス１４上でのブック読取モード時と同じ焦点条件で読取りを行なえる。ところが、現実には、メカの公差ばらつきやキャリッジ位置の基準となるホームポジションＨＰの位置ずれ等により、その精度は必ずしも高くない。よって、背景体１７に対する読取位置が必ずしも最適とはならず、原稿面照度がばらついて読取濃度がばらついてしまうことがあり、読取品質が保証されない。上記の精度を高めることは、部品精度を厳しく選別することである程度は可能であるが、限界がある上にそれに伴うコストアップを無視できなくなってしまう。
【００１２】
また、シートスルー読取モード時の原稿画像の取込タイミングを考えた場合、その読取期間を設定するゲート信号“ＦＧＡＴＥ”に対して、原稿が通常通りに搬送開始されたにも拘わらず、搬送機構にスリップ等があり原稿送りに遅れが生じたようなときには、原稿が現実には読取位置に達していないにも拘わらずゲート信号“ＦＧＡＴＥ”がアサートされてしまう状態が起こり得る。これでは、先端部分では背景体１７を読取っていることとなり、読取画像としては、背景体１７の地肌部の後に本来の原稿画像が現れることになってしまう。これでは、原稿通りの適正な原稿読取画像を得ることができない。
【００１３】
さらに、シートスルー読取モード時におけるシェーディングデータの取得を考えた場合、基準白板１９が読取位置から離れているため、シェーディングデータを取得するためには原稿スキャニング毎に毎回キャリッジ１５を読取位置（読取窓１６の位置）から基準白板１９の位置まで移動させる必要がある。前述した公報でも同様である。これでは、ＣＰＵ７は原稿搬送機構ＤＦを制御しつつキャリッジ１５の制御も行なわなくてはならず、ＣＰＵ７の負荷が大きくなる上に、読取速度の低下も引き起こすことになる。
【００１４】
本発明は、読取位置に対してずれて配設される基準白板の読取りによるシェーディングデータの取得に関して、複数枚の原稿に対する連続的なシートスルー読取モード時にあっては、シェーディング補正に支障ない範囲で必要最低限の回数でシェーディングデータ取得動作を済ませ、読取速度の向上を図れる画像読取装置を提供することを目的とする。
【課題を解決するための手段】
【００１５】
請求項１記載の発明は、副走査方向に移動自在なキャリッジに搭載された読取光学系を読取位置に固定し、前記読取位置に配設された背景体部分に沿わせて原稿を搬送させながらその画像を前記読取光学系を介してライン状のイメージセンサにより光電変換して読取るシートスルー読取モードを有し、前記読取位置とは副走査方向にずれた位置に配設された基準白板の前記イメージセンサによる読取りによりシェーディングデータを取得する画像読取装置において、前記シートスルー読取モードによる読取時に、搬送される原稿間のタイミングで前記イメージセンサにより前記背景体部分の読取りを行ない、その読取レベルに所定レベル以上の差が生じた場合に前記基準白板を読取らせるシェーディングデータ取得動作制御手段を備える。
【００１６】
従って、シートスルー読取モードによる複数枚の原稿の連続的な読取時に、原稿間に生ずる紙間期間を利用し、このタイミングで共通な背景体の読取りを行ない、その読取レベルに所定レベル以上の差が生じたかを監視し、所定レベル以上の差が生じた場合のみシェーディングデータの取得が必要としてキャリッジを基準白板の位置に移動させてシェーディングデータを取得する動作を行なわせるので、所定レベル以上の差が生じなければそれ以前のシェーディングデータをそのまま用いてシェーディング補正できるため、シェーディング補正機能に支障を来すことなく、必要最低限の回数のシェーディングデータの取得で済み、その分、読取動作自体を高速化させることもできる。
【発明の効果】
【００１７】
請求項１記載の発明によれば、シートスルー読取モードによる複数枚の原稿の連続的な読取時に、原稿間に生ずる紙間期間を利用し、このタイミングで共通な背景体の読取りを行ない、その読取レベルに所定レベル以上の差が生じたかを監視し、所定レベル以上の差が生じた場合のみシェーディングデータの生成が必要としてキャリッジを基準白板の位置に移動させてシェーディングデータを取得する動作を行なわせるようにしたので、所定レベル以上の差が生じなければそれ以前のシェーディングデータをそのまま用いてシェーディング補正できるため、シェーディング補正機能に支障を来すことなく、必要最低限の回数のシェーディングデータの取得で済み、その分、読取動作自体を高速化させることもできる。
【発明を実施するための最良の形態】
【００１８】
本発明の一実施の形態を図１ないし図４に基づいて説明する。図５ないし図８で示した部分と同一部分は同一符号を用いて示し、説明も省略する。特に、機構的には変更がないので、図７に示した概略構成はそのまま用いるものとする。本実施の形態は、特にシートスルー読取モードに関するものであり、各部を制御するＣＰＵ７に、キャリッジ固定位置調整手段、シェーディングデータ取得動作制御手段等の機能が付加され、ＣＰＵ７により制御される画像処理部６にタイミング再設定手段の機能が付加されている。
【００１９】
まず、シートスルー読取モードにおけるキャリッジ１５の固定位置を調整するためのＤＦ調整モードが操作パネル等を通じて設定自在とされている。適宜時点で、このＤＦ調整モードが宣言されると、ＣＰＵ７によりキャリッジ固定位置調整手段の機能が実行される。図１にこのＤＦ調整モードの処理例のフローチャートを示す。まず、ＤＦ調整モードが宣言されると（ステップＳ１のＹ）、ＣＰＵ７はキャリッジ１５をその待機位置である所定のホームポジションＨＰから一定速度で移動させ（Ｓ２）、背景体１７部分に関して１ライン毎の読取り動作を行なわせる（Ｓ３）。そして、その読取り動作により得られるＣＣＤ１の出力の１ライン毎（又は、複数ライン毎）にピーク値（白レベル）を検出する（Ｓ４）。検出されたピーク値をその検出毎に前回のピーク値と大小比較する（Ｓ５）。ここに、Ｒ状の背景体１７の場合、背景体１７における読取部分が遠ざかれば得られる白レベルが減少し、背景体１７における読取部分が近づけば得られる白レベルが増えるように、ＣＣＤ１の出力は変化を示す。そこで、前回のピーク値より大きければ（Ｓ５のＹ）、ピーク値検出動作を継続する。一方、前回のピーク値より小さければ（Ｓ５のＮ）、前回のピーク値が背景体１７における白レベルの最高（＝最下位置）であることを意味するので、前回の読取ライン位置をシートスルー読取モードにおけるキャリッジ１５の固定位置としてメモリ８等に記憶させる（Ｓ６）。この固定位置情報は、ホームポジションＨＰからの距離情報として格納される。これにより、ＤＦ調整モードの処理が終了する。このようにして検出・設定される固定位置は、メカの公差ばらつきやホームポジションＨＰの位置ずれ等の影響を受けず、正確に検出・設定できる。
【００２０】
従って、実際のシートスルー読取モードによる読取り時には、キャリッジ１５をホームポジションＨＰからメモリ８に格納されている固定位置の距離情報分だけ移動させて位置固定させれば、背景体１７に対してキャリッジ１５は最適な位置に位置決めされて読取り動作を行なうこととなる。よって、ブック読取モードにおけるコンタクトガラス１４面上の読取りと同じ焦点条件で、原稿面照度＝濃度のばらつきをなくして原稿画像を良好に読取ることができる。
【００２１】
次に、シートスルー読取モードにおける読取動作について説明する。読取装置全体を制御するＣＰＵ７は、原稿搬送機構ＤＦの原稿送りやキャリッジ１５の移動に付随して副走査方向のゲート信号“ＦＧＡＴＥ”の発生も行なっている。画像処理部６では、このゲート信号“ＦＧＡＴＥ”を受け取り、原稿データの処理を行なう。ここに、本実施の形態では、画像処理部６に白レベルのピーク値又は平均値を検出する機能が付加されており、ＣＰＵ７からゲート信号“ＦＧＡＴＥ”を受け取った後、サンプリング毎にサンプリングした白レベルを比較し、前回の白レベルよりも大きな白レベルを検出できた場合には、その時点で新たにゲート信号“ＦＧＡＴＥ”を内部的に発生させて原稿データの処理を行なうように構成されている。これが、画像処理部６におけるタイミング再設定手段の機能として実行される。
【００２２】
その処理例を図２に示すフローチャート及び図３に示すタイムチャートを参照して説明する。この処理は、シートスルー読取モード時にのみ行なえばよいので、最初に、シートスルー読取モードに設定されているか否かをチェックする（Ｓ１１）。この認識のため、ＣＰＵ７は画像処理部６に対してシートスルー読取モードのフラグを立て、通常通りに原稿搬送機構ＤＦによる原稿送りに同期させてゲート信号“ＦＧＡＴＥ”をアサートする。このゲート信号“ＦＧＡＴＥ”がアサートされると（Ｓ１２のＹ）、画像処理部６では主走査１ライン毎の読取り動作を行ない、その1ライン毎の平均値を算出する（Ｓ１３）。このように算出された平均値に関して、ｎ＋１ライン目の平均値をＤn+1 、ｎライン目の平均値をＤn とし、平均値の差をＴとしたとき、その絶対値｜Ｔ｜を白レベルの変動量を示す値として算出する（Ｓ１４）。つづいて、各ライン毎にこの平均値の差の絶対値｜Ｔ｜が、予め設定された所定の一定値ｋ以上であるか否かを検出する（Ｓ１５）。一定値ｋよりも小さければ（Ｓ１５のＮ）、読取位置ではまだ背景体１７を読取っていることになり、原稿先端が実際に読取位置まで送られていないので、平均値を求める読取動作を継続する。一方、読取位置に原稿先端が実際に到達してその先端余白部分が読取られると、その読取ラインでの平均値（白レベル）が大きくなる。よって、平均値の差の絶対値｜Ｔ｜が一定値ｋ以上となれば（Ｓ１５のＹ）、読取位置に原稿先端が実際に到達したことを検出できる。そこで、画像処理部６では新たなゲート信号“ＦＧＡＴＥ”を内部的に発生させ（Ｓ１６）、このゲート信号“ＦＧＡＴＥ”に基づき原稿画像の処理を行なうようにゲート処理する（Ｓ１７）。図３では、このように内部的に発生させる新たなゲート信号“ＦＧＡＴＥ”も図示されている。その後、ゲート信号“ＦＧＡＴＥ”がネゲートされ（Ｓ１８）、次の原稿があれば（Ｓ１９のＹ）、上記の動作を繰り返し、次の原稿がなければ（Ｓ１９のＮ）、シートスルー読取モードをクリアして（Ｓ２０）、処理を終了する。
【００２３】
つまり、背景体１７部分と原稿先端余白部分との白レベルの違いに着目したものであり、原稿読出基準となるゲート信号“ＦＧＡＴＥ”がＣＰＵ７から出力されても原稿スリップ等が生じて読取位置への到達が遅れるような場合には、背景体１７を読取っていることになり、原稿先端が実際に到達すれば背景体１７に引き続き原稿の先端余白部分の読取りによる大きな白レベル出力が現れるので、読取位置での白レベルの変動を監視することにより、原稿先端の到達を認識でき、その時点でゲート信号“ＦＧＡＴＥ”を内部的に再設定することで、原稿送りに遅れ等があっても、現実の原稿の状態に追従させて原稿画像読取りを適正に行なえる。
【００２４】
次に、シートスルー読取モードにおけるシェーディングデータの取得について説明する。シェーディングデータを取得するためには、通常通り、キャリッジ１５を読取位置から基準白板１９の位置に移動させてこの基準白板１９を読取らせる。ここに、本実施の形態では、シートスルー読取モードにおいて複数枚の原稿を連続的に読取るときには、原稿間のタイミングでは読取位置にて背景体１７を読取り得ることに着目し、この背景体１７に関する読取レベルが予め設定された所定レベル以上に変動した場合のみ新たなシェーディングデータの取得が必要であるとし、シェーディングデータ取得動作を行なわせるが、それ以外の場合には、シェーディングデータ取得動作を行なわせることなく原稿読取り動作を連続的に行なわせるものである。これが、ＣＰＵ７によるシェーディングデータ取得動作制御手段の機能として実行される。
【００２５】
その処理例を図４に示すフローチャートを参照して説明する。この処理は、シートスルー読取モード時にのみ行なえばよいので、最初に、シートスルー読取モードに設定されているか否かをチェックする（Ｓ２１）。シートスルー読取モードであれば（Ｓ２１のＹ）、図８又は図３に示すタイムチャートの如く、シェーディング用のゲート信号“ＳＨＧＴ”に従いキャリッジ１５を基準白板１９の位置に移動させてこの基準白板１９の読取りを行なうことで、シェーディングデータを取得する（Ｓ２２）。この後、キャリッジ１５をシートスルー読取モード用の読取位置に戻して位置固定させ、原稿送り開始に伴うゲート信号“ＦＧＡＴＥ”がアサートされるのを待つ（Ｓ２３のＹ）。ゲート信号“ＦＧＡＴＥ”がアサートされると、このゲート信号“ＦＧＡＴＥ”がネゲートされるまで原稿読取動作を繰返す（Ｓ２４，Ｓ２５のＮ）。ゲート信号“ＦＧＡＴＥ”がネゲートされると（Ｓ２５のＹ）、原稿搬送機構ＤＦの原稿テーブル上に原稿が残っているか否かのセンサ出力に基づき、次の原稿があるか否かをチェックする（Ｓ２６）。次の原稿がなければ（Ｓ２６のＮ）、処理を終える。一方、次の原稿があれば（Ｓ２６のＹ）、ゲート信号“ＦＧＡＴＥ”のネゲートに引き続き読取動作を行なう。即ち、先の原稿と次の原稿との間の原稿間のタイミングであり、背景体１７を読取ることとなる。そこで、この背景体１７の読取り結果からその読取レベルの平均値（又は、ピーク値）を算出する（Ｓ２７）。このように算出された読取レベルの平均値に関して、ｎ＋１回目の読取り時の平均値をＤn+1 、ｎ回目の読取り時の平均値をＤn とし、平均値の差をＴとしたとき、その絶対値｜Ｔ｜を読取レベルの変動量を示す値として算出する（Ｓ２８）。つづいて、今回のその平均値の差の絶対値｜Ｔ｜が、予め設定された所定の一定値ｓ以上であるか否かを検出する（Ｓ２９）。一定値ｓよりも小さければ（Ｓ２９のＮ）、シェーディングデータに変更を要しないものと見倣して、キャリッジ１５を移動させることなく、次の原稿に対するゲート信号“ＦＧＡＴＥ”が出たら（Ｓ３１のＹ）、そのまま原稿読取り動作を連続的に行なわせる（Ｓ２４）。一方、読取レベルの平均値の差の絶対値｜Ｔ｜が一定値ｓ以上になった場合には（Ｓ２９のＹ）、新たなシェーディングデータへの変更が必要であると見做し、キャリッジ１５を基準白板１９の位置に移動させてその読取りを行なうことで、シェーディングデータを取得する（Ｓ３０）。このような一定値ｓ以上の変動を生ずる要因としては、例えば、読取光学系における露光ランプの光量変動等がある。この後、キャリッジ１５をシートスルー読取モード用の読取位置に戻して位置固定させ、次の原稿に対するゲート信号“ＦＧＡＴＥ”が出たら（Ｓ３１のＹ）、原稿読取り動作を行なわせる（Ｓ２４）。
【００２６】
つまり、シートスルー読取モードにおいて複数枚の原稿を連続的に読取るときには、原稿間のタイミングでは読取位置にて背景体１７を共通に読取り得ることから、その読取レベルが大きく変動した場合のみシェーディングデータを取得し直すことが必要で変動が小さければ前回のシェーディングデータを用い得るので、原稿毎に必ずしも毎回シェーディングデータ取得動作を行なう必要がなくなり、必要最低限の回数で済むため、シェーディングデータ取得に伴う待ち時間が少なくなり全体として読取時間を短縮させることができる。
【００２７】
なお、本実施の形態では、ＣＣＤ１が位置固定され、露光ランプ、ミラー等の読取光学系のみがキャリッジ１５上に搭載された構成例を想定したが、例えば、イメージセンサが密着センサ構造とされ読取光学系と一体的にキャリッジに搭載される構成であっても同様に適用できる。
【図面の簡単な説明】
【００２８】
【図１】本発明の一実施の形態におけるＤＦ調整モードの処理例を示すフローチャート図である。
【図２】内部ＦＧＡＴＥの発生処理例を示すフローチャートである。
【図３】その動作を示すタイムチャートである。
【図４】シェーディングデータ取得動作制御の制御例を示すフローチャートである。
【図５】従来例及び本実施の形態で用いる画像読取装置の概略構成を示すブロック図である。
【図６】その読取基板側の概略構成を示すブロック図である。
【図７】画像読取装置の概略構成を示し、（ａ）は概略平面図、（ｂ）は概略側面図である。
【図８】ＦＧＡＴＥ信号発生タイミングを示すタイムチャートである。
【符号の説明】
【００２９】
１      イメージセンサ
１５      キャリッジ
１７      背景体
【図１】
2004159356.tif 000003
【図２】
2004159356.tif 000004
【図３】
2004159356.tif 000005
【図４】
2004159356.tif 000006
【図５】
2004159356.tif 000007
【図６】
2004159356.tif 000008
【図７】
2004159356.tif 000009
【図８】
2004159356.tif 000010